(57)【要約】【課題】  芳香材と浴湯改質材を別個に収容して同時に使用でき、しかも芳香材を交換可能にして長期に渡って使用できるようにし、さらに浮遊が安定する温浴器を提供する。【解決手段】  桧製の箱体２の内部空間を上部収容室３と下部収容室に区画し、下部収容室の側壁に通水穴２ａを形成し、上部収容室３と下部収容室との間の箱体２の外周位置に桧製の取っ手５を取り付け、天蓋７には通気穴７ａを形成するとともにマイナスイオンを発生するセラミック粒体Ｓを取り付け、底蓋には通水穴を形成し、下部収容室は通水穴を備えた仕切板で複数箇所に区画し、上部収容室３には桧チップからなる芳香材Ｋを収容し、下部収容室には麦飯石・ラジウム鉱石・トルマリン鉱石・ゲルマニウム鉱石・天寿石等からなる浴湯改質材を各室に種類別に収容する。【選択図】図２
0003132330.tif 000002
【実用新案登録請求の範囲】
【請求項１】
浮力を有する箱体の内部空間を上部収容室と下部収容室に区画し、上部収容室の上面に通気穴を備えた天蓋を設け、下部収容室の底面に通水穴を備えた底蓋を設け、下部収容室の側壁に通水穴を形成し、上部収容室には芳香材を収容し、下部収容室には浴湯を改質する浴湯改質材を収容した、温浴器。
【請求項２】
上部収容室と下部収容室との間の箱体の外周位置に取っ手を設けた、請求項１記載の温浴器。
【請求項３】
天蓋と底蓋が、その端部を箱体に枢支して水平に沿って左右方向へ回動できる構造にした、請求項１又は２記載の温浴器。
【請求項４】
通水穴を備えた仕切板で下部収容室を複数に区画し、区画した各室に異なる浴湯改質材を収容できるようにした、請求項１〜３いずれか記載の温浴器。
【請求項５】
箱体が芳香を有する木製である、請求項１〜４いずれか記載の温浴器。
【請求項６】
箱体が桧材で構成したものである、請求項５記載の温浴器。
【請求項７】
天蓋の上面にマイナスイオンを発生するセラミック粒体を取り付けた、請求項１〜６いずれか記載の温浴器。
【請求項８】
芳香材が桧材又はハーブで、浴湯改質材が麦飯石・ラジウム鉱石・トルマリン鉱石・ゲルマニウム鉱石・天寿石のいずれか又はそれらの組み合わせである、請求項１〜７いずれか記載の温浴器。
【請求項９】
桧材で構成した箱体の内部空間を上部収容室と下部収容室に区画し、同下部収容室は通水穴を備えた仕切板で複数に区画し、下部収容室の側壁に通水穴を形成し、上部収容室の上面に通気穴を備えた天蓋を設け、同天蓋の上面にマイナスイオンを発生するセラミック粒体を取り付け、下部収容室の底面に通水穴を備えた底蓋を設け、天蓋と底蓋は端部を箱体に枢支して水平に沿って左右方向へ回動できる構造にし、上部収容室には桧材又はハーブからなる芳香材を収容し、下部収容室の区画した各室には麦飯石・ラジウム鉱石・トルマリン鉱石・ゲルマニウム鉱石・天寿石のいずれか又はそれらの組み合わせからなる浴湯改質材を種類別に収容した、温浴器。
【考案の詳細な説明】
【技術分野】
【０００１】
本考案は、浴湯に浮遊させて使用する温浴器に関する。
【背景技術】
【０００２】
従来、浴湯に浮遊させて使用する温浴器が特許文献１〜３に開示されている。特許文献１の技術は、通水・通気穴を有する有底の筒体内に浴湯改質材を収容したものである。特許文献２の技術は、頭部に茸状のフロートを備えた桧製の容器内に浴湯改質材を収容し、容器の側面と底面に通水穴を形成したものである。特許文献３の技術は、不織布製の袋体を上部収容室と下部収容室に区画し、上部収容室に芳香材を収容し、下部収容室に浴湯改質材を収容したものである。
【０００３】
ところで、特許文献１の技術は筒体の収容室が１箇所であるから、芳香や浴湯改質など目的が異なる材を別個に収容できず、用途が限定される問題があった。特許文献２の技術はフロートや容器自身が芳香性を有しているが、芳香成分は永続するものではなく交換ができない問題があった。特許文献３の技術は不織布製の袋体を使用するから浮遊が安定しない問題があった。
【特許文献１】特開２０００−５７４４号公報
【特許文献２】特開２０００−２８７８５８号公報
【特許文献３】特開２００３−１２６２０７号公報
【考案の開示】
【考案が解決しようとする課題】
【０００４】
本考案が解決しようとする課題は、従来のこれらの問題点を解消し、芳香材と浴湯改質材を別個に収容して同時に使用でき、しかも芳香材を交換可能にして長期に渡って使用できるようにし、さらに浮遊が安定する温浴器を提供することにある。
【課題を解決するための手段】
【０００５】
かかる課題を解決した本考案の構成は、
１）  浮力を有する箱体の内部空間を上部収容室と下部収容室に区画し、上部収容室の上面に通気穴を備えた天蓋を設け、下部収容室の底面に通水穴を備えた底蓋を設け、下部収容室の側壁に通水穴を形成し、上部収容室には芳香材を収容し、下部収容室には浴湯を改質する浴湯改質材を収容した、温浴器
２）  上部収容室と下部収容室との間の箱体の外周位置に取っ手を設けた、前記１）記載の温浴器
３）  天蓋と底蓋が、その端部を箱体に枢支して水平に沿って左右方向へ回動できる構造にした、前記１）又は２）記載の温浴器
４）  通水穴を備えた仕切板で下部収容室を複数に区画し、区画した各室に異なる浴湯改質材を収容できるようにした、前記１）〜３）いずれか記載の温浴器
５）  箱体が芳香を有する木製である、前記１）〜４）いずれか記載の温浴器
６）  箱体が桧材で構成したものである、前記５）記載の温浴器
７）  天蓋の上面にマイナスイオンを発生するセラミック粒体を取り付けた、前記１）〜６）いずれか記載の温浴器
８）  芳香材が桧材又はハーブで、浴湯改質材が麦飯石・ラジウム鉱石・トルマリン鉱石・ゲルマニウム鉱石・天寿石のいずれか又はそれらの組み合わせである、前記１）〜７）いずれか記載の温浴器
９）  桧材で構成した箱体の内部空間を上部収容室と下部収容室に区画し、同下部収容室は通水穴を備えた仕切板で複数に区画し、下部収容室の側壁に通水穴を形成し、上部収容室の上面に通気穴を備えた天蓋を設け、同天蓋の上面にマイナスイオンを発生するセラミック粒体を取り付け、下部収容室の底面に通水穴を備えた底蓋を設け、天蓋と底蓋は端部を箱体に枢支して水平に沿って左右方向へ回動できる構造にし、上部収容室には桧材又はハーブからなる芳香材を収容し、下部収容室の区画した各室には麦飯石・ラジウム鉱石・トルマリン鉱石・ゲルマニウム鉱石・天寿石のいずれか又はそれらの組み合わせからなる浴湯改質材を種類別に収容した、温浴器
にある。
【考案の効果】
【０００６】
本考案によれば、以下の効果を奏する。
１）箱体の内部空間を上部収容室と下部収容室に区画したから、芳香材と浴湯改質材を別個に収容して同時に効果を発揮できる。
２）芳香材は交換自在であるから、定期的に交換することで長期に渡って使用でき、また、別の芳香材に交換することもできる。
３）箱体を用いるから、従来技術の不織布と比較して浮遊時の姿勢が安定する。
【考案を実施するための最良の形態】
【０００７】
本考案の箱体は、木材・発泡プラスチックなど浮力を有するものが用いられ、木製は桧材など芳香を有するものが望ましい。箱体の形状は直方体・円形・船形等のいずれでもよい。上部収容室と下部収容室の間の箱体の外周位置に取っ手を設けると、浮力が与えられて浮遊時の姿勢がより安定するとともに、芳香材と浴湯改質材を多量に収容して重量が増加しても沈み量を抑制できる。天蓋と底蓋は端部を箱体にネジ等で枢支して水平に沿って左右方向へ回動できる構造にすると、蝶番等と比較して構造を簡易して低コストで実施できる。下部収容室を通水穴を備えた仕切板で複数に区画すると、各室に異なる浴湯改質材を収容できる。天蓋の上面にはマイナスイオンを発生するセラミック粒体を取り付けてマイナスイオンを供給できるようにしてもよい。芳香材としては、桧材やハーブなど入浴者があたかも森林浴しているかのような効果を奏するものが用いられ、浴湯改質材としては、ミネラルを溶出する麦飯石やホルミシス効果を有するラジウム鉱石・トルマリン鉱石・ゲルマニウム鉱石・天寿石の他、遠赤外線を放射するアルミナ、浄化能を有する活性炭、抗菌作用を有する金属イオン等を用いてもよい。以下、本考案の実施例を図面に基づいて具体的に説明する。
【実施例１】
【０００８】
図１は実施例の温浴器の斜視図、図２は実施例の天蓋を開けた状態を示す温浴器の斜視図、図３は実施例の底蓋を開けた状態を示す温浴器の斜視図、図４は実施例の温浴器の使用状態を示す説明図である。図中、１は温浴器、２は箱体、２ａは通水穴、３は上部収容室、４は下部収容室、５は取っ手、６は仕切板、６ａは通水穴、７は天蓋、７ａは通気穴、７ｂはネジ、８は底蓋、８ａは通水穴、８ｂはネジ、Ｂは浴槽、Ｈは入浴者、Ｋは芳香材、Ｒは浴湯改質材、Ｓはセラミック粒体、Ｗは浴湯である。
【０００９】
本実施例の温浴器１は、図１〜３に示すように桧材の厚板で構成した箱体２の内部空間を上部収容室３と下部収容室４に区画し、下部収容室４の側壁に通水穴２ａを多数形成し、上部収容室３と下部収容室４の間の箱体２の外周位置に桧材で構成した取っ手５を取り付け、天蓋７と底蓋８は端部を箱体２にネジ７ｂ，８ｂで枢支して水平に沿って左右方向へ回動できる構造にし、天蓋７には多数の通気穴７ａを形成するとともにマイナスイオンを発生するセラミック粒体Ｓを多数取り付け、底蓋８には多数の通水穴８ａを形成し、下部収容室４は通水穴６ａを備えた仕切板６で４箇所に区画している。全体の寸法は幅２８．５ｃｍ、高さ１５ｃｍである。
【００１０】
この温浴器１の上部収容室３には桧チップからなる芳香材Ｋを多数収容し、下部収容室４には麦飯石・ラジウム鉱石・トルマリン鉱石・ゲルマニウム鉱石・天寿石等からなる浴湯改質材Ｒを各室に種類別に収容する。図４に示すように温浴器１を浴湯Ｗに浮かべると、温浴器１は取っ手５を境に上部収容室３の部分が浮上するとともに下部収容室４の部分が水没し、下部収容室４に通水穴２ａ，６ａ，８ａを通じて浴湯Ｗが充満する。上部収容室３の芳香材Ｋは天蓋７の通気穴７ａを通じて芳香成分を放散するとともにセラミック粒体Ｓがマイナスイオンを発生し、下部収容室４の浴湯改質材Ｒは浴湯Ｗと触れることでミネラル等が溶出する。
【００１１】
温浴器１は浮遊しているから、芳香材Ｋと浴湯改質材Ｒの効果を同時に発揮でき、しかも浴湯Ｗは上層から先に改質されて入浴者Ｈの上半身に対して迅速に効能を発揮できる。特にセラミック粒体Ｓを表面に付設しているから、マイナスイオンを浴室内に直接放出させることができる。浮遊している温浴器１は入浴者Ｈが回遊させることで、任意の領域を改質でき、邪魔な場合は入浴者Ｈから離れた位置に移動できる。上層の浴湯Ｗは湯温が高めであるから、上層に位置している浴湯改質材Ｒは高温の浴湯Ｗと触れて効能を発揮させ易い。
【産業上の利用可能性】
【００１２】
本考案の温浴器は、一般家庭の浴槽の他、商用の浴場にも応用できる。
【図面の簡単な説明】
【００１３】
【図１】実施例の温浴器の斜視図である。
【図２】実施例の天蓋を開けた状態を示す温浴器の斜視図である。
【図３】実施例の底蓋を開けた状態を示す温浴器の斜視図である。
【図４】実施例の温浴器の使用状態を示す説明図である。
【符号の説明】
【００１４】
１  温浴器
２  箱体
２ａ  通水穴
３  上部収容室
４  下部収容室
５  取っ手
６  仕切板
６ａ  通水穴
７  天蓋
７ａ  通気穴
７ｂ  ネジ
８  底蓋
８ａ  通水穴
８ｂ  ネジ
Ｂ  浴槽
Ｈ  入浴者
Ｋ  芳香材
Ｒ  浴湯改質材
Ｓ  セラミック粒体
Ｗ  浴湯
【図１】
0003132330.tif 000003
【図２】
0003132330.tif 000004
【図３】
0003132330.tif 000005
【図４】
0003132330.tif 000006